(57)【要約】【課題】複数の撮像装置それぞれにより撮影された、各検査対象物の撮影画像を、効率的に表示する。【解決手段】サーバ装置は、複数の撮像装置それぞれにより撮影された撮影画像であって、検査開始の指示が入力された撮影画像を取得し、検査開始の指示が入力された順序に従って配列する第１配列部と、各画面における検査対象物についての検品結果を受け付ける受付部と、前記検品結果より画面の情報を取得し、受け付け順序に従って配列する第２配列部と、前記第１配列部により配列された順序に従って、前記検査開始の指示が入力された撮影画像を、前記第２配列部により配列された画面の情報に、順次、割り当てる割り当て部と、前記検査開始の指示が入力された撮影画像を、前記割り当て部による割り当て結果に応じた画面に表示する表示制御部とを有する。【選択図】図１
2020052817.tif 000002
【特許請求の範囲】
【請求項１】
複数の撮像装置それぞれにおいて撮影された撮影画像のうち、検査開始の指示が入力された撮影画像を取得し、検査開始の指示が入力された順序に従って配列する第１配列部と、
各画面における検査対象物についての検品結果を受け付ける受付部と、
前記検品結果より画面の情報を取得し、受け付け順序に従って配列する第２配列部と、
前記第１配列部により配列された順序に従って、前記検査開始の指示が入力された撮影画像を、前記第２配列部により配列された画面の情報に、順次、割り当てる割り当て部と、
前記検査開始の指示が入力された撮影画像を、前記割り当て部による割り当て結果に応じた画面に表示する表示制御部と
を有することを特徴とするサーバ装置。
【請求項２】
前記表示制御部は、前記検査開始の指示が入力された撮影画像を、前記受付部が、該撮影画像を表示した画面における検査対象物についての検品結果を受け付けるまで表示することを特徴とする請求項１に記載のサーバ装置。
【請求項３】
前記撮影画像は動画像であり、前記第１配列部は、前記検査開始の指示が入力されてから動画像の取得を開始し、前記検品結果を受け付けるまで、該動画像の取得を継続することを特徴とする請求項２に記載のサーバ装置。
【請求項４】
前記撮影画像は静止画像であり、前記第１配列部は、前記検査開始の指示が入力された際に撮影された静止画像を取得することを特徴とする請求項２に記載のサーバ装置。
【請求項５】
前記検査開始の指示は、所定の操作ボタンに対して操作が行われた場合、所定のセンサが検査対象物を検知した場合、あるいは、所定の時間が経過した場合に受け付けることを特徴とする請求項１に記載のサーバ装置。
【請求項６】
前記検品結果には、表示装置の情報、該表示装置の画面の情報、該画面に表示された撮影画像の情報、該撮影画像に含まれる検査対象物が正常か異常かを示す情報が含まれることを特徴とする請求項１に記載のサーバ装置。
【請求項７】
前記検品結果に、前記撮影画像に含まれる検査対象物が異常であることを示す情報が含まれていた場合、前記受付部は、異常通知を行うことを特徴とする請求項６に記載のサーバ装置。
【請求項８】
複数の撮像装置それぞれにおいて撮影された撮影画像のうち、検査開始の指示が入力された撮影画像を取得し、検査開始の指示が入力された順序に従って配列し、
各画面における検査対象物についての検品結果を受け付け、
前記検品結果より画面の情報を取得し、受け付け順序に従って配列し、
配列された順序に従って、前記検査開始の指示が入力された撮影画像を、前記受け付け順序に従って配列された画面の情報に、順次、割り当て、
前記検査開始の指示が入力された撮影画像を、割り当て結果に応じた画面に表示する、
処理をコンピュータに実行させるための表示制御プログラム。
【発明の詳細な説明】
【技術分野】
【０００１】
本発明は、サーバ装置及び表示制御プログラムに関する。
【背景技術】
【０００２】
空港における手荷物の検査や、物流センタにおける出荷物の検査等の検品シーンにおいては、従来より、検査者による目視検査が行われている。これらの検品シーンの場合、検査対象物が多岐にわたるうえ、日々変化するため、機械学習等による画像認識の適用が困難だからである。
【０００３】
一方で、検査者による目視検査の場合、一定程度のコストがかかることから、検査者の少人数化が求められる。これに対して、例えば、下記特許文献１では、複数の検査対象物それぞれを撮影する複数の撮像装置を配し、各撮影画像を所定の表示装置に集約して表示することで、各検査者が各撮影位置での検査対象物を同時に検査可能な構成が提案されている。
【先行技術文献】
【特許文献】
【０００４】
【特許文献１】特開２０１１−２０１６６３号公報
【発明の概要】
【発明が解決しようとする課題】
【０００５】
しかしながら、検品シーンによっては、検査対象物が各撮影位置に一定間隔で搬送（あるいはピッキング）されず、各検査者間で単位時間あたりに検査すべき検査対象物の数にばらつきが生じる場合がある。このような場合、検査者によっては、次の撮影画像が表示されるまでに、待ち時間が発生することもある。
【０００６】
加えて、各検査者間で検査作業に要する時間にはばらつきがあるため、検査者によっては、検査すべき検査対象物の撮影画像が溜まり、検査が追いつかないといった事態も生じ得る。
【０００７】
一つの側面では、複数の撮像装置それぞれにより撮影された、各検査対象物の撮影画像を、効率的に表示することを目的とする。
【課題を解決するための手段】
【０００８】
一態様によれば、サーバ装置は、
複数の撮像装置それぞれにより撮影された撮影画像であって、検査開始の指示が入力された撮影画像を取得し、検査開始の指示が入力された順序に従って配列する第１配列部と、
各画面における検査対象物についての検品結果を受け付ける受付部と、
前記検品結果より画面の情報を取得し、受け付け順序に従って配列する第２配列部と、
前記第１配列部により配列された順序に従って、前記検査開始の指示が入力された撮影画像を、前記第２配列部により配列された画面の情報に、順次、割り当てる割り当て部と、
前記検査開始の指示が入力された撮影画像を、前記割り当て部による割り当て結果に応じた画面に表示する表示制御部とを有する。
【発明の効果】
【０００９】
複数の撮像装置それぞれにより撮影された、各検査対象物の撮影画像を、効率的に表示することができる。
【図面の簡単な説明】
【００１０】
【図１】検品システムのシステム構成の一例を示す図である。
【図２】従来の検品シーンの一例を示す図である。
【図３】比較例の検品シーンの一例を示す図である。
【図４】サーバ装置のハードウェア構成の一例を示す図である。
【図５】サーバ装置の機能構成の一例を示す図である。
【図６】撮影画像を取得する取得処理の具体例を示す図である。
【図７】検品結果を受け付ける受付処理の具体例を示す図である。
【図８】撮影画像を分割画面情報に割り当てる割り当て処理の具体例を示す図である。
【図９】サーバ装置における表示制御処理の流れを示すフローチャートである。
【図１０】検品システムを適用した場合の効果を示す図である。
【図１１】検品システムの適用例を示す第１の図である。
【図１２】検品システムの適用例を示す第２の図である。
【図１３】検品システムの適用例を示す第３の図である。
【発明を実施するための形態】
【００１１】
以下、各実施形態について添付の図面を参照しながら説明する。なお、本明細書及び図面において、実質的に同一の機能構成を有する構成要素については、同一の符号を付することにより重複した説明を省略する。
【００１２】
［第１の実施形態］
＜検品システムのシステム構成＞
はじめに、検査対象物を検査する検品システムのシステム構成について説明する。図１は、検品システムのシステム構成の一例を示す図である。図１に示すように、検品システム１００は、表示装置１１０＿１〜１１０＿３と、サーバ装置１３０とを有する。また、検品システム１００は、制御装置１５０＿１〜１５０＿７と、警報装置１６０＿１〜１６０＿７と、操作スイッチ１７０＿１〜１７０＿７と、撮像装置１８０＿１〜１８０＿７とを有する。
【００１３】
なお、表示装置１１０＿１〜１１０＿３と、サーバ装置１３０とは、ネットワーク１４０を介して通信可能に接続される。同様に、サーバ装置１３０と制御装置１５０＿１〜１５０＿７とは、ネットワーク１４０を介して通信可能に接続される。
【００１４】
表示装置１１０＿１〜１１０＿３は、撮像装置１８０＿１〜１８０＿７が検査対象物を撮影することで得た撮影画像を、サーバ装置１３０から受信し、表示する。表示装置１１０＿１〜１１０＿３はそれぞれ、画面が４分割されており、各分割画面に、撮影画像を表示する。
【００１５】
なお、表示装置１１０＿１〜１１０＿３の各分割画面に撮影画像が表示されることで、対応する検査者１２０＿１〜１２０＿３は、撮影画像に含まれる検査対象物を検査する（正常か異常かを判定し、判定結果を入力する）。また、検査者１２０＿１〜１２０＿３により入力された判定結果は、各種情報とともに、検品結果としてサーバ装置１３０に送信される。
【００１６】
サーバ装置１３０は、撮像装置１８０＿１〜１８０＿７が検査対象物を撮影することで得た撮影画像を制御装置１５０＿１〜１５０＿７から受信する。また、サーバ装置１３０は、受信した撮影画像であって、検査開始の指示が入力された撮影画像を取得し、表示装置１１０＿１〜１１０＿３のいずれかの分割画面に割り当てる。これにより、表示装置１１０＿１〜１１０＿３の割り当てられた分割画面には、取得した撮影画像が表示される。
【００１７】
また、サーバ装置１３０は、表示装置１１０＿１〜１１０＿３より検品結果を受け付け、検査対象物が異常であると判定された場合には、対応する制御装置（制御装置１５０＿１〜１５０＿７のいずれか）に、異常通知を行う。
【００１８】
制御装置１５０＿１〜１５０＿７は、それぞれ、撮像装置１８０＿１〜１８０＿７と接続され、撮像装置１８０＿１〜１８０＿７が検査対象物を撮影することで得た撮影画像を、サーバ装置１３０に送信する。
【００１９】
また、制御装置１５０＿１〜１５０＿７は、それぞれ、操作スイッチ１７０＿１〜１７０＿７と接続され、操作スイッチ１７０＿１〜１７０＿７が押圧された場合に、検査開始の指示が入力されたと判定し、サーバ装置１３０に検査開始の指示を送信する。
【００２０】
なお、図１には示していないが、制御装置１５０＿１〜１５０＿７は、それぞれ、操作スイッチ１７０＿１〜１７０＿７の代わりに、検査対象物が撮影位置に搬送（あるいはピッキング）されたことを検知する検知センサと接続されてもよい。この場合、制御装置１５０＿１〜１５０＿７は、それぞれ、対応する検知センサが検査対象物を検知した場合に、検査開始の指示が入力されたと判定し、サーバ装置１３０に検査開始の指示を送信する。
【００２１】
また、制御装置１５０＿１〜１５０＿７は、それぞれ、警報装置１６０＿１〜１６０＿７と接続され、サーバ装置１３０より異常通知が送信された場合に、対応する警報装置（警報装置１６０＿１〜１６０＿７のいずれか）を制御し、警報を出力する。
【００２２】
撮像装置１８０＿１〜１８０＿７は、それぞれ、検査対象物を撮影し、撮影画像を制御装置１５０＿１〜１５０＿７に送信する。撮像装置１８０＿１〜１８０＿７にて撮影される撮影画像は、静止画像であっても動画像であってもよい。なお、静止画像の場合、撮像装置１８０＿１〜１８０＿７は、対応する操作スイッチ１７０＿１〜１７０＿７が押圧されたタイミングで、撮影を行う。一方、動画像の場合、撮像装置１８０＿１〜１８０＿７は、常時撮影を行い、撮影した動画像を制御装置１５０＿１〜１５０＿７にストリーミング送信する。
【００２３】
操作スイッチ１７０＿１〜１７０＿７は、例えば、検査対象物の所持者（あるいは管理者）によって操作される。検査対象物の所持者は、検査対象物を搬送台に載せ、撮影位置まで搬送させた際に、操作スイッチ１７０＿１〜１７０＿７を操作する。
【００２４】
警報装置１６０＿１〜１６０＿７は、それぞれ、対応する制御装置（制御装置１５０＿１〜１５０＿７のいずれか）からの指示に基づき、警報を出力する。これにより、検査エリアのスタッフは、検査者によって検査対象物が異常と判定されたことを認識することができる。
【００２５】
＜従来の検品シーン＞
次に、従来の検品シーンについて簡単に説明する。ここでは、空港における手荷物の検査を例に説明する。図２は、従来の検品シーンの一例を示す図である。図２において、Ａ１〜Ｇ１で示すオブジェクトは、手荷物を示しており、同じアルファベットは、同じ搬送台にて搬送されることを示している。図２の例では、７台の搬送台が配置されており、紙面左側から順に、２個の手荷物、３個の手荷物、３個の手荷物、３個の手荷物、１個の手荷物、２個の手荷物、１個の手荷物が、それぞれ搬送されることを示している。
【００２６】
図２に示すように、それぞれの搬送台には、検査者１２０＿１〜１２０＿７が常駐しており、それぞれの検査者１２０＿１〜１２０＿７が、対応する搬送台にて搬送される手荷物を検査する。なお、図２において、各搬送台で搬送される手荷物のうち、時間軸の上流側に位置する手荷物は、検査者１２０＿１〜１２０＿７が先に検査する手荷物であることを示している。一方、時間軸の下流側に位置する手荷物は、検査者１２０＿１〜１２０＿７が後に検査する手荷物であることを示している。
【００２７】
このように、従来の検品シーンでは、搬送台の数に応じた検査者が、それぞれの搬送台にて搬送された手荷物について検査を行っていた。
【００２８】
＜検査者を少人数化した場合の検品シーン（比較例）＞
次に、従来の検品シーンに対して、検査者を少人数化した場合の検品シーンとして、上述した検品システム１００との比較例について説明する。図３は、比較例の検品シーンの一例を示す図である。
【００２９】
図３の場合、表示装置１１０＿１の各分割画面３０１＿１〜３０１＿４に、撮像装置１８０＿１及び撮像装置１８０＿２のいずれかで撮影された撮影画像が表示される。
【００３０】
また、図３の場合、表示装置１１０＿２の各分割画面３０２＿１〜３０２＿４に、撮像装置１８０＿３及び撮像装置１８０＿４のいずれかで撮影された撮影画像が表示される。更に、図３の場合、表示装置１１０＿３の各分割画面３０３＿１〜３０３＿４に、撮像装置１８０＿５〜１８０＿７のいずれかで撮影された撮影画像が表示される。つまり、図３の場合、各撮像装置には１台の表示装置が対応付けられており、所定の表示装置には、所定の撮影位置の撮影画像が表示される。
【００３１】
一般に、空港における手荷物の検査において、各搬送台で搬送される単位時間あたりの手荷物の数（検査すべき手荷物の数）には、各検査者間でばらつきがある。このため、例えば、図３の場合、検査者１２０＿１は、時間Ｔ＝ｔ５までに、“Ｂ３”の手荷物の検査が完了する。一方、検査者１２０＿３は、時間Ｔ＝ｔ４までに、“Ｆ２”の手荷物の検査が完了し、時間Ｔ＝ｔ５の時点では、待ち時間が発生している。
【００３２】
反対に、検査者１２０＿２は、時間Ｔ＝ｔ５の時点で、“Ｄ３”の手荷物の検査を開始していない（つまり、検査者１２０＿２は、時間Ｔ＝ｔ５の時点で、検査すべき検査対象物の撮影画像が溜まっている）。
【００３３】
このように、所定の撮影位置の撮影画像を所定の表示装置に集約して表示する比較例の検品シーンの場合、同一時間帯に、待ち時間が発生する検査者と、検査すべき撮影画像が溜まっている検査者とが存在することとなり、効率的でない。
【００３４】
また、図３の例では、検査者１２０＿１〜１２０＿３が、個々の手荷物を検査するのに要する時間が同じであるとしているが、検査者１２０＿１〜１２０＿３間で手荷物の検査に要する時間にばらつきがあることも考えられる。
【００３５】
例えば、検査者１２０＿２が手荷物の検査をするのに要する時間が、検査者１２０＿１、１２０＿３それぞれが、手荷物の検査をするのに要する時間よりも長い場合には、検査者１２０＿２が検査すべき撮影画像が更に溜まることになる。
【００３６】
第１の実施形態に係るサーバ装置１３０では、このような事態が回避されるよう、各分割画面への撮影画像の割り当てを適切に行うことで、各分割画面に撮影画像を効率的に表示する。以下、サーバ装置１３０の詳細構成について説明する。
【００３７】
＜サーバ装置のハードウェア構成＞
図４は、サーバ装置のハードウェア構成の一例を示す図である。図４に示すように、サーバ装置１３０は、ＣＰＵ（Central  Processing  Unit）４０１、ＲＯＭ（Read  Only  Memory）４０２、ＲＡＭ（Random  Access  Memory）４０３を有する。ＣＰＵ４０１、ＲＯＭ４０２、ＲＡＭ４０３は、いわゆるコンピュータを形成する。
【００３８】
また、サーバ装置１３０は、補助記憶部４０４、表示部４０５、操作部４０６、Ｉ／Ｆ（Interface）部４０７、ドライブ部４０８を有する。なお、サーバ装置１３０の各ハードウェアは、バス４０９を介して相互に接続されている。
【００３９】
ＣＰＵ４０１は、補助記憶部４０４にインストールされている各種プログラム（例えば、後述する表示制御プログラム等）を実行する演算デバイスである。
【００４０】
ＲＯＭ４０２は、不揮発性メモリである。ＲＯＭ４０２は、補助記憶部４０４にインストールされている各種プログラムをＣＰＵ４０１が実行するために必要な各種プログラム、データ等を格納する主記憶デバイスとして機能する。具体的には、ＲＯＭ４０２はＢＩＯＳ（Basic  Input/Output  System）やＥＦＩ（Extensible  Firmware  Interface）等のブートプログラム等を格納する、主記憶デバイスとして機能する。
【００４１】
ＲＡＭ４０３は、ＤＲＡＭ（Dynamic  Random  Access  Memory）やＳＲＡＭ（Static  Random  Access  Memory）等の揮発性メモリである。ＲＡＭ４０３は、補助記憶部４０４にインストールされている各種プログラムがＣＰＵ４０１によって実行される際に展開される作業領域を提供する、主記憶デバイスとして機能する。
【００４２】
補助記憶部４０４は、各種プログラムや、各種プログラムが実行されることで取得される情報を格納する補助記憶デバイスである。
【００４３】
表示部４０５は、サーバ装置１３０の内部状態を表示する表示デバイスである。操作部４０６は、サーバ装置１３０の管理者がサーバ装置１３０に対して各種指示を入力する入力デバイスである。Ｉ／Ｆ部４０７は、ネットワーク１４０に接続され、サーバ装置１３０が、表示装置１１０＿１〜１１０＿３、制御装置１５０＿１〜１５０＿７との間で通信を行うための通信デバイスである。
【００４４】
ドライブ部４０８は記録媒体４１０をセットするためのデバイスである。ここでいう記録媒体４１０には、ＣＤ−ＲＯＭ、フレキシブルディスク、光磁気ディスク等のように情報を光学的、電気的あるいは磁気的に記録する媒体が含まれる。また、記録媒体４１０には、ＲＯＭ、フラッシュメモリ等のように情報を電気的に記録する半導体メモリ等が含まれていてもよい。
【００４５】
なお、補助記憶部４０４にインストールされる各種プログラムは、例えば、配布された記録媒体４１０がドライブ部４０８にセットされ、該記録媒体４１０に記録された各種プログラムがドライブ部４０８により読み出されることでインストールされる。あるいは、補助記憶部４０４にインストールされる各種プログラムは、Ｉ／Ｆ部４０７を介して、ネットワーク１４０よりダウンロードされることでインストールされてもよい。
【００４６】
＜サーバ装置の機能構成＞
次に、サーバ装置１３０の機能構成について説明する。図５は、サーバ装置の機能構成の一例を示す図である。上述したとおり、サーバ装置１３０には、表示制御プログラムがインストールされている。サーバ装置１３０は、表示制御プログラムを実行することで、指示受付部５１０、第１配列部５２０、検品結果受付部５３０、第２配列部５４０、割り当て部５５０、表示制御部５６０として機能する。
【００４７】
指示受付部５１０は、制御装置１５０＿１〜１５０＿７から送信される、検査開始の指示を受け付ける。また、指示受付部５１０は、検査開始の指示を送信した制御装置を特定し、制御装置特定情報を第１配列部５２０に通知する。
【００４８】
更に、指示受付部５１０は、撮影画像が動画像の場合にあっては、検品結果受付部５３０より撮影画像識別情報を受信し、第１配列部５２０に撮影画像識別情報を通知する。
【００４９】
第１配列部５２０は、指示受付部５１０より、制御装置特定情報が通知されると、制御装置特定情報により特定される制御装置（制御装置１５０＿１〜１５０＿７のいずれか）より、撮影画像を取得する。
【００５０】
なお、撮影画像が静止画像の場合、制御装置特定情報が通知されると、第１配列部５２０では、制御装置特定情報により特定される制御装置（制御装置１５０＿１〜１５０＿７）から静止画像を取得する。
【００５１】
また、撮影画像が動画像の場合、制御装置特定情報が通知されると、第１配列部５２０は、制御装置特定情報により特定される制御装置（制御装置１５０＿１〜１５０＿７）から送信される動画像の取得を開始する。第１配列部５２０では、指示受付部５１０より、撮影画像識別情報が通知されるまで動画像の取得を継続し、撮影画像識別情報が通知されると、動画像の取得を停止する。
【００５２】
また、第１配列部５２０は、取得した撮影画像を、指示受付部５１０が検査開始の指示を受け付けた順序で（つまり、第１配列部５２０が制御装置特定情報を受信した順序で）、配列する。更に、第１配列部５２０は、撮影画像の配列結果（撮影画像の順序を示した情報）を、撮影画像とともに割り当て部５５０に通知する。
【００５３】
検品結果受付部５３０は受付部の一例であり、表示装置１１０＿１〜１１０＿３から送信される、検品結果を受け付ける。なお、検品結果受付部５３０が受け付ける検品結果には、
・検査対象物の撮影画像を識別する撮影画像識別情報、
・検査対象物の撮影画像が表示された分割画面を特定するための表示装置情報及び画面情報、
・検査対象物が正常か異常かの判定結果、
が含まれるものとする。
【００５４】
また、検品結果受付部５３０は、受け付けた検品結果に、異常であるとの判定結果が含まれていた場合には、対応する制御装置（制御装置１５０＿１〜１５０＿７のいずれか）に、異常通知を行う。
【００５５】
また、検品結果受付部５３０は、受け付けた検品結果に含まれる撮影画像識別情報を、指示受付部５１０に通知する。
【００５６】
また、検品結果受付部５３０は、受け付けた検品結果に含まれる表示装置情報に基づいて、検査者が判定結果を入力した表示装置（表示装置１１０＿１〜１１０＿３のいずれか）を特定する。また、検品結果受付部５３０は、受け付けた検品結果に含まれる画面情報に基づいて、検査者が判定結果を入力した分割画面（分割画面３０１＿１〜３０１＿４、３０２＿１〜３０２＿４、３０３＿１〜３０３＿４のいずれか）を特定する。更に、検品結果受付部５３０は、表示装置情報及び画面情報を第２配列部５４０に通知する。
【００５７】
第２配列部５４０は、検品結果受付部５３０より表示装置情報及び画面情報を受信すると、検品結果受付部５３０が検品結果を受け付けた順序で（つまり、第２配列部５４０が表示装置情報及び画面情報を受信した順序で）、配列する。更に、第２配列部５４０は、表示装置情報及び画面情報の配列結果を、割り当て部５５０に通知する。
【００５８】
割り当て部５５０は、第１配列部５２０より通知された配列結果（撮影画像の順序を示した情報）に従って、撮影画像を、第２配列部５４０より通知された配列結果に含まれる表示装置情報及び画面情報に割り当てる。また、割り当て部５５０は、撮影画像を、割り当て結果とともに、表示制御部５６０に通知する。
【００５９】
表示制御部５６０は、割り当て部５５０より通知された割り当て結果に従って、表示装置（表示装置１１０＿１〜１１０＿３のいずれか）に撮影画像を送信し、各分割画面に割り当て結果に応じた撮影画像を表示する。
【００６０】
＜サーバ装置の各部の処理の具体例＞
次に、サーバ装置の各部（ここでは、指示受付部５１０、第１配列部５２０、検品結果受付部５３０、第２配列部５４０、割り当て部５５０）の処理の具体例について説明する。
【００６１】
（１）撮影画像を取得する取得処理の具体例
はじめに、指示受付部５１０及び第１配列部５２０が、撮影画像を取得する取得処理の具体例（動画像の場合と静止画像の場合）について説明する。図６は、撮影画像を取得する取得処理の具体例を示す図である。なお、図６の例は、撮像装置１８０＿１で撮影された撮影画像を取得し、表示装置１１０＿１または１１０＿２に表示する場合を示している。
【００６２】
図６の時間軸６００に示すように、指示受付部５１０では、制御装置１５０＿１より検査開始の指示を受け付ける。また、動画像の場合にあっては、指示受付部５７０では、検品結果受付部５３０が検品結果を受け付けたことに応じて、検品結果受付部５３０より撮影画像識別情報を受信する。
【００６３】
図６上段は、撮影画像が動画像の場合を示している。図６上段に示すように、第１配列部５２０では、制御装置１５０＿１より動画像６１０を受信する。また、第１配列部５２０では、指示受付部５１０が検査開始の指示を受け付けると、動画像６１０より動画像６１１の取得を開始する。更に、第１配列部５２０では、指示受付部５１０が検査開始の指示を受け付けた順序に従って、取得した動画像６１１を配列する。これにより、動画像６１１は、割り当てられた分割画面（図６の例では、表示装置１１０＿１の分割画面３０１＿１）に表示されることになる。
【００６４】
なお、第１配列部５２０では、撮影画像識別情報を受信するまで、動画像６１１の取得を継続する。これにより、表示装置１１０＿１の分割画面３０１＿１には、動画像６１１が継続して表示される。
【００６５】
撮影画像識別情報を受信すると、第１配列部５２０では、動画像６１１の取得を停止する。ただし、動画像６１１の取得を停止した場合でも、第１配列部５２０では、継続して動画像６１０を受信する。
【００６６】
続いて、指示受付部５１０が、制御装置１５０＿１より次の検査開始の指示を受け付けると、第１配列部５２０では、動画像６１０より動画像６１２の取得を開始する。また、第１配列部５２０では、検査開始の指示を受け付けた順序に従って、取得した動画像６１２を配列する。これにより、動画像６１２は、割り当てられた分割画面（図６の例では、表示装置１１０＿２の分割画面３０２＿１）に表示されることになる。
【００６７】
なお、第１配列部５２０では、撮影画像識別情報を受信するまで、動画像６１２の取得を継続する。これにより、表示装置１１０＿２の分割画面３０２＿１には、動画像６１２が継続して表示される。
【００６８】
撮影画像識別情報を受信すると、第１配列部５２０では、動画像６１２の取得を停止する。ただし、動画像６１２の取得を停止した場合でも、第１配列部５２０では、継続して動画像６１０を受信する。このように、撮影画像が動画像の場合、取得処理が実行されることで、検査開始の指示を受け付けてから撮影画像識別情報を受信するまでの間の動画像が取得される。
【００６９】
一方、図６下段は、撮影画像が静止画像の場合を示している。図６下段に示すように、第１配列部５２０では、指示受付部５１０が検査開始の指示を受け付けると、制御装置１５０＿１より静止画像６２１を取得し、指示受付部５１０が検査開始の指示を受け付けた順序に従って配列する。これにより、静止画像６２１は、割り当てられた分割画面（図６の例では、表示装置１１０＿１の分割画面３０１＿１）に表示されることになる。
【００７０】
続いて、指示受付部５１０が、制御装置１５０＿１より次の検査開始の指示を受け付けると、第１配列部５２０では、制御装置１５０＿１より静止画像６２２を取得し、指示受付部５１０が検査開始の指示を受け付けた順序に従って配列する。これにより、静止画像６２２は、割り当てられた分割画面（図６の例では、表示装置１１０＿２の分割画面３０２＿１）に表示されることになる。このように、撮影画像が静止画像の場合、取得処理が実行されることで、検査開始の指示を受け付けた際の静止画像が取得される。
【００７１】
（２）検品結果を受け付ける受付処理の具体例
次に、検品結果受付部５３０が検品結果を受け付ける受付処理の具体例について説明する。図７は、検品結果を受け付ける受付処理の具体例を示す図である。このうち、図７（ａ）は、判定結果が正常であった場合の受付処理の具体例を示している。
【００７２】
図７（ａ）に示すように、表示装置１１０＿１の分割画面３０１＿１に表示された撮影画像に含まれる検査対象物が、正常であった場合、検査者１２０＿１は、分割画面３０１＿１上で、指７００を矢印７１０で示す方向に動かすことで判定結果を入力する。これにより、表示装置１１０＿１では、分割画面３０１＿１に表示された撮影画像に含まれる検査対象物が、正常であると判定し、検品結果を生成する。このとき、表示装置１１０＿１では、
・撮影画像識別情報＝“Ａ１”の手荷物を撮影した撮影画像を識別する情報、
・表示装置情報＝表示装置１１０＿１を示す情報、画面情報＝分割画面３０１＿１を示す情報、
・検査対象物（“Ａ１”の手荷物）が正常であるとの判定結果、
を含む検品結果を生成する。
【００７３】
表示装置１１０＿１では、生成した検品結果をサーバ装置１３０に送信する。これにより、検品結果受付部５３０では、これらの情報を含む検品結果を受け付ける。
【００７４】
なお、図７（ａ）に示すように、表示装置１１０＿１では、判定結果が入力されることで、分割画面３０１＿１に表示された撮影画像を非表示にし、サーバ装置１３０より次の撮影画像が送信されるまで待機する。
【００７５】
図７（ｂ）は、判定結果が異常であった場合の受付処理の具体例を示している。図７（ｂ）に示すように、表示装置１１０＿１の分割画面３０１＿２に表示された撮影画像に含まれる検査対象物が、異常であった場合、検査者１２０＿１は、分割画面３０１＿２上で、指７００を矢印７２０方向に動かすことで判定結果を入力する。これにより、表示装置１１０＿１では、分割画面３０１＿２に表示された撮影画像に含まれる検査対象物が、異常であると判定し、検品結果を生成する。このとき、表示装置１１０＿１では、
・撮影画像識別情報＝“Ｄ１”の手荷物を撮影した撮影画像を識別する情報、
・表示装置情報＝表示装置１１０＿１を示す情報、画面情報＝分割画面３０１＿２を示す情報、
・検査対象物（“Ｄ１”の手荷物）が異常であるとの判定結果、
を含む検品結果を生成する。
【００７６】
表示装置１１０＿１では、生成した検品結果をサーバ装置１３０に送信する。これにより、検品結果受付部５３０では、これらの情報を含む検品結果を受け付ける。
【００７７】
なお、図７（ｂ）に示すように、表示装置１１０＿１では、判定結果が入力されることで、分割画面３０１＿２に表示された撮影画像を非表示にし、サーバ装置１３０より次の撮影画像が送信されるまで待機する。
【００７８】
（３）撮影画像を分割画面情報に割り当てる割り当て処理の具体例
次に、第１配列部５２０、第２配列部５４０、割り当て部５５０が、撮影画像を表示装置情報及び分割画面情報による割り当てる割り当て処理の具体例について説明する。図８は、撮影画像を分割画面情報に割り当てる割り当て処理の具体例を示す図である。図８において、符号８１０は、検品結果受付部５３０が検品結果を受け付けた順序で、第２配列部５４０が、表示装置情報及び分割画面情報を配列した様子を示している。
【００７９】
図８の場合、時間Ｔ＝ｔ−４から時間Ｔ＝ｔ−３の間に、最初に、検査者１２０＿１が、表示装置１１０＿１の分割画面３０１＿１に判定結果を入力したことを示している。また、図８の場合、時間Ｔ＝ｔ−４から時間Ｔ＝ｔ−３の間に、２番目に、検査者１２０＿２が、表示装置１１０＿２の分割画面３０２＿１に判定結果を入力したことを示している。更に、図８の場合、時間Ｔ＝ｔ−４から時間Ｔ＝ｔ−３の間に、３番目に、検査者１２０＿３が、表示装置１１０＿３の分割画面３０３＿１に判定結果を入力したことを示している。
【００８０】
また、図８において、符号８２０は、指示受付部５１０が検査開始の指示を受け付けた順序で、第１配列部５２０が撮影画像を配列した様子を示している。図８の場合、時間Ｔ＝ｔ０から時間Ｔ＝ｔ１の間に、最初に、“Ａ１”の手荷物を撮影した撮影画像について、検査開始の指示を受け付けたことを示している。また、図８の場合、時間Ｔ＝ｔ０から時間Ｔ＝ｔ１の間に、２番目に、“Ｂ１”の手荷物を撮影した撮影画像について、検査開始の指示が受け付けたことを示している。更に、図８の場合、時間Ｔ＝ｔ０から時間Ｔ＝ｔ１の間に、３番目に、“Ｃ１”の手荷物を撮影した撮影画像について、検査開始の指示を受け付けたことを示している。
【００８１】
したがって、割り当て部５５０では、“Ａ１”の手荷物を撮影した撮影画像を、表示装置１１０＿１の分割画面３０１＿１に割り当てる。また、割り当て部５５０では、“Ｂ１”の手荷物を撮影した撮影画像を、表示装置１１０＿２の分割画面３０２＿１に割り当てる。更に、割り当て部５５０では、“Ｃ１”の手荷物を撮影した撮影画像を、表示装置１１０＿３の分割画面３０３＿１に割り当てる。
【００８２】
このように、第１配列部５２０の配列結果と、第２配列部５４０の配列結果とを用いることで、割り当て部５５０によれば、各分割画面への撮影画像の割り当てを適切に行うことができる。
【００８３】
つまり、図３で説明した比較例の検品シーンのように、各撮像装置に１台の表示装置が対応付けられているわけではないため、割り当て部５５０によれば、所定の表示装置の各分割画面には、任意の撮影位置の撮影画像を割り当てることができる。この結果、割り当て部５５０によれば、複数の撮影画像と複数の分割画面との間で、分割画面が空いた順に、撮影画像を割り当てることが可能となる。
【００８４】
＜表示制御処理の流れ＞
次に、サーバ装置１３０による表示制御処理の流れについて説明する。図９は、表示制御処理の流れを示すフローチャートである。
【００８５】
ステップＳ９０１において、指示受付部５１０は、制御装置１５０＿１〜１５０＿７より、検査開始の指示を受け付けたか否かを判定する。ステップＳ９０１において、検査開始の指示を受け付けていないと判定した場合には（ステップＳ９０１においてＮｏの場合には）、ステップＳ９０６に進む。
【００８６】
一方、ステップＳ９０１において、検査開始の指示を受け付けたと判定した場合には（ステップＳ９０１においてＹｅｓの場合には）、ステップＳ９０２及びステップＳ９０４に進む。
【００８７】
ステップＳ９０２において、第１配列部５２０は、検査開始の指示を送信した制御装置（制御装置１５０＿１〜１５０＿７のいずれか）から、撮影画像を取得する。また、ステップＳ９０３において、第１配列部５２０は、検査開始の指示を受け付けた順序に従って、取得した撮影画像を配列する。
【００８８】
ステップＳ９０４において、検品結果受付部５３０は、表示装置１１０＿１〜１１０＿３より検品結果を受け付け、表示装置情報及び分割画面情報を取得する。
【００８９】
また、ステップＳ９０５において、第２配列部５４０は、表示装置情報及び分割画面情報を、検品結果受付部５３０が検品結果を受け付けた順序に従って配列する。
【００９０】
ステップＳ９０６において、割り当て部５５０は、未表示の撮影画像があるか否かを判定する。ステップＳ９０６において、未表示の撮影画像がないと判定した場合には（ステップＳ９０６においてＮｏの場合には）、ステップＳ９０９に進む。
【００９１】
一方、ステップＳ９０６において、未表示の撮影画像があると判定した場合には（ステップＳ９０６においてＹｅｓの場合には）、ステップＳ９０７に進む。
【００９２】
ステップＳ９０７において、割り当て部５５０は、未表示の撮影画像を、配列された表示装置情報及び分割画面情報に、順次、割り当てる。
【００９３】
ステップＳ９０８において、表示制御部５６０は、割り当て結果に従って、表示装置に撮影画像を送信し、各分割画面に撮影画像を表示する。
【００９４】
ステップＳ９０９において、指示受付部５１０は、表示制御処理を終了するか否かを判定する。ステップＳ９０９において終了しないと判定した場合には（ステップＳ９０９においてＮｏの場合には）、ステップＳ９０１に戻る。
【００９５】
一方、ステップＳ９０９において、終了すると判定した場合には（ステップＳ９０９においてＹｅｓの場合には）、表示制御処理を終了する。
【００９６】
＜検品システムを適用した場合の効果＞
次に、検品システム１００を適用した場合の効果について説明する。図１０は、検品システムを適用した場合の効果を示す図であり、“Ｄ３”の手荷物が、撮像装置１８０＿４により撮影された時点で、表示装置１１０＿１、１１０＿２、１１０＿３の表示内容を示している。
【００９７】
図１０の例によれば、検査者１２０＿１は、時間Ｔ＝ｔ５までに、“Ｂ３”の手荷物の検査が完了する。同様に、検査者１２０＿３は、時間Ｔ＝ｔ５までに、“Ｄ３”の手荷物の検査が完了する。同様に、検査者１２０＿２は、時間Ｔ＝ｔ５までに、“Ｃ３”の手荷物の検査が完了する。
【００９８】
つまり、図３のように、時間Ｔ＝ｔ５の時点で、検査者１２０＿３に待ち時間が発生することもなければ、時間Ｔ＝ｔ５の時点で、検査すべき検査対象物の撮影画像が、検査者１２０＿２に溜まっているといった事態が生じることもない。
【００９９】
このように、検品システム１００によれば、各搬送台で搬送される単位時間あたりの手荷物の数にばらつきがあったり、各検査者間で検査作業に要する時間にばらつきがあった場合でも、
・特定の検査者に、待ち時間が発生する、
・特定の検査者に、検査すべき検査対象物の撮影画像が溜まる、
といった事態を回避することができる。
【０１００】
つまり、サーバ装置１３０によれば、複数の撮像装置それぞれにより撮影された、各検査対象物の撮影画像を、各分割画面に、効率的に表示することができる。
【０１０１】
＜検品システムの適用例＞
次に検品システム１００の適用例について説明する。
【０１０２】
（１）空港における手荷物の検査に適用した場合
はじめに、検品システム１００を、空港における手荷物の検査に適用した場合について説明する。図１１は、検品システムの適用例を示す第１の図である。図１１に示すように、空港において手荷物の検査を行う際に、手荷物の所持者が操作スイッチを押圧することで、サーバ装置１３０では、検査開始の指示を受け付けるとともに、撮影画像を取得する。一方で、検査者が分割画面に表示された撮影画像に含まれる手荷物を検査するごとに、サーバ装置１３０では、検品結果を受け付ける。
【０１０３】
このため、サーバ装置１３０では、上述した表示制御処理に基づいて、分割画面に対して撮影画像を割り当てることができる。この結果、例えば、操作スイッチを押圧する間隔のばらつき等に起因して、各搬送台で搬送される単位時間あたりの手荷物の数にばらつきが発生したり、各検査者間で検査作業に要する時間にばらつきがあった場合でも、
・特定の検査者に、待ち時間が発生する、
・特定の検査者に、検査すべき手荷物の撮影画像が溜まる、
といった事態を回避することができる。
【０１０４】
つまり、検品システム１００によれば、複数の撮像装置それぞれにより撮影された、各手荷物の撮影画像を、各分割画面に、効率的に表示することができる。
【０１０５】
（２）自動車の部品検査、出荷物の検査に適用した場合
次に、検品システム１００を、自動車の部品検査に適用した場合、及び、物流センタにおける出荷物の検査に適用した場合について説明する。
【０１０６】
図１２は、検品システムの適用例を示す第２の図である。このうち、図１２（ａ）は、検品システム１００を、自動車の部品検査に適用した例を示している。図１２（ａ）に示すように、自動車の部品検査において、自動車が所定の位置に搬送されたことを検知することで、サーバ装置１３０では、検査開始の指示を受け付けるとともに、撮影画像を取得する。一方で、検査者が分割画面に表示された撮影画像に含まれる、自動車の各部品を検査するごとに、サーバ装置１３０では、検品結果を受け付ける。
【０１０７】
このため、サーバ装置１３０では、上述した表示制御処理に基づいて、分割画面に対して撮影画像を割り当てることができる。この結果、例えば、各検査者間で検査作業に要する時間にばらつきがあった場合でも、
・特定の検査者に、待ち時間が発生する、
・特定の検査者に、検査すべき部品の撮影画像が溜まる、
といった事態を回避することができる。
【０１０８】
つまり、検品システム１００によれば、複数の撮像装置それぞれにより撮影された、各部品の撮影画像を、各分割画面に、効率的に表示することができる。
【０１０９】
一方、図１２（ｂ）は、検品システム１００を、物流センタにおける出荷物の検査に適用した例を示している。図１２（ｂ）に示すように、物流センタにおいて、出荷物がピッキングされるごとに、出荷物の種類、個数を検査する際に、サーバ装置１３０では、出荷物がピッキングされるごとに、検査開始の指示を受け付けるとともに、撮影画像を取得する。一方で、検査者が分割画面に表示された撮影画像に含まれる出荷物の種類、個数を検査するごとに、サーバ装置１３０では、検品結果を受け付ける。
【０１１０】
このため、サーバ装置１３０では、上述した表示制御処理に基づいて、分割画面に対して撮影画像を割り当てることができる。この結果、出荷物をピッキングする間隔にばらつきがあったり、各検査者間で検査作業に要する時間にばらつきがあった場合でも、
・特定の検査者に、待ち時間が発生する、
・特定の検査者に、検査すべき出荷物の撮影画像が溜まる、
といった事態を回避することができる。
【０１１１】
つまり、検品システム１００によれば、複数の撮像装置それぞれにより撮影された、各出荷物の撮影画像を、各分割画面に、効率的に表示することができる。
【０１１２】
（３）ホームセキュリティ、空港における手荷物の検査に適用した場合
次に、検品システム１００を、ホームセキュリティに適用した場合、及び、空港における手荷物の検査に適用した場合について説明する。
【０１１３】
図１３は、検品システムの適用例を示す第３の図である。このうち、図１３（ａ）は、検品システム１００を、ホームセキュリティに適用した例を示している。図１３（ａ）に示すように、ホームセキュリティにおいて、サーバ装置１３０では、所定時間が経過するごとに、検査開始の指示を受け付けるとともに、撮影画像を取得する。一方で、検査者が分割画面に表示された撮影画像に含まれる家屋を検査するごとに、サーバ装置１３０では、検品結果を受け付ける。
【０１１４】
このため、サーバ装置１３０では、上述した表示制御処理に基づいて、分割画面に対して撮影画像を割り当てることができる。この結果、各検査者間で検査作業に要する時間にばらつきがあった場合でも、
・特定の検査者に、待ち時間が発生する、
・特定の検査者に、検査すべき家屋の撮影画像が溜まる、
といった事態を回避することができる。
【０１１５】
つまり、検品システム１００によれば、複数の撮像装置それぞれにより撮影された、各家屋の撮影画像を、各分割画面に、効率的に表示することができる。
【０１１６】
一方、図１３（ｂ）は、検品システム１００を、空港における手荷物の検査に適用した他の例を示している。図１３（ｂ）に示すように、空港において、手荷物の検査を行う際に、手荷物の所持者が操作スイッチを押圧することで、画像認識システムでは、撮影画像に基づいて画像認識処理を行い、手荷物が正常か異常かの判定を行う。
【０１１７】
このとき、画像認識システムでは、判定結果の信頼度が高い場合にあっては、当該判定結果に基づいて異常通知を行う。一方、判定結果の信頼度が低い場合にあっては、判定結果を、２次検査開始の指示として、撮影画像とともにサーバ装置１３０に送信する。これにより、サーバ装置１３０では、２次検査開始の指示を受け付けるとともに、撮影画像を取得する。一方で、検査者が分割画面に表示された撮影画像に含まれる手荷物を検査するごとに、サーバ装置１３０では、検品結果を受け付ける。
【０１１８】
このため、サーバ装置１３０では、上述した表示制御処理に基づいて、分割画面に対して撮影画像を割り当てることができる。この結果、画像認識システムより判定結果が送信される間隔にばらつきがあったり、各検査者間で検査作業に要する時間にばらつきがあった場合でも、
・特定の検査者に、待ち時間が発生する、
・特定の検査者に、検査すべき手荷物の撮影画像が溜まる、
といった事態を回避することができる。
【０１１９】
つまり、検品システム１００によれば、複数の撮像装置それぞれにより撮影された、各手荷物の撮影画像を、各分割画面に、効率的に表示することができる。
【０１２０】
以上の説明から明らかなように、第１の実施形態に係るサーバ装置では、検査開始の指示が入力された撮影画像を取得し、検査開始の指示が入力された順序に従って配列する。また、第１の実施形態に係るサーバ装置では、表示装置の各分割画面において表示された撮影画像に含まれる検査対象物についての検品結果を受け付け、受け付け順序に従って、各分割画面情報を配列する。更に、第１の実施形態に係るサーバ装置では、配列された撮影画像を、配列された各分割画面情報に順次、割り当てる。
【０１２１】
これにより、第１の実施形態に係るサーバ装置によれば、複数の撮像装置それぞれにより撮影された、各検査対象物の撮影画像を、効率的に表示することができる。
【０１２２】
［第２の実施形態］
上記第１の実施形態では、表示画面を４つの分割画面に分割するものとして説明したが、表示画面の分割数は４つに限定されない。また、表示装置が複数ある場合には、表示画面を分割しなくてもよい。
【０１２３】
また、上記第１の実施形態では、警報装置が接続された制御装置に、異常通知を行うものとして説明したが、異常通知の通知先は制御装置に限定されない。例えば、検査エリアのスタッフの端末に通知してもよい。
【０１２４】
上記第１の実施形態では、表示装置１１０＿１〜１１０＿３及び制御装置１５０＿１〜１５０＿７と、サーバ装置１３０とをネットワーク１４０を介して接続し、サーバ装置１３０にて表示制御処理を実行するものとして説明した。つまり、上記第１の実施形態では、クラウド上で表示制御処理が実行されるものとして説明した。しかしながら、表示制御処理をクラウド上で実行される必要はなく、ローカルシステムにて検品システムを構築し、表示制御処理を実行してもよい。
【０１２５】
また、上記第１の実施形態では、表示制御処理において、検品結果受付部５３０による検品結果の受け付け、及び、表示装置情報及び分割画面情報の取得を、指示受付部５１０が検査開始の指示を受け付けた場合に実行するものとして説明した。しかしながら、検品結果受付部５３０による検品結果の受け付け、及び、表示装置情報及び分割画面情報の取得は、指示受付部５１０が検査開始の指示を受け付けたか否かに関わらず、実行するようにしてもよい。
【０１２６】
また、上記第１の実施形態では、検査者が判定結果を入力する際に、矢印７１０、７２０で示す方向に指を動かすものとして説明したが、判定結果の入力方法はこれに限定されない。
【０１２７】
また、上記第１の実施形態では、操作ボタンを押圧した際に撮影した静止画像を取得するものとして説明したが、静止画像の取得方法はこれに限定されない。例えば、動画像を撮影しておき、操作ボタンを押圧した際のフレームを、静止画像として取得するようにしてもよい。
【０１２８】
なお、開示の技術では、以下に記載する付記のような形態が考えられる。
（付記１）
複数の撮像装置それぞれにおいて撮影された撮影画像のうち、検査開始の指示が入力された撮影画像を取得し、検査開始の指示が入力された順序に従って配列する第１配列部と、
各画面における検査対象物についての検品結果を受け付ける受付部と、
前記検品結果より画面の情報を取得し、受け付け順序に従って配列する第２配列部と、
前記第１配列部により配列された順序に従って、前記検査開始の指示が入力された撮影画像を、前記第２配列部により配列された画面の情報に、順次、割り当てる割り当て部と、
前記検査開始の指示が入力された撮影画像を、前記割り当て部による割り当て結果に応じた画面に表示する表示制御部と
を有することを特徴とするサーバ装置。
（付記２）
前記表示制御部は、前記検査開始の指示が入力された撮影画像を、前記受付部が、該撮影画像を表示した画面における検査対象物についての検品結果を受け付けるまで表示することを特徴とする付記１に記載のサーバ装置。
（付記３）
前記撮影画像は動画像であり、前記第１配列部は、前記検査開始の指示が入力されてから動画像の取得を開始し、前記検品結果を受け付けるまで、該動画像の取得を継続することを特徴とする付記２に記載のサーバ装置。
（付記４）
前記撮影画像は静止画像であり、前記第１配列部は、前記検査開始の指示が入力された際に撮影された静止画像を取得することを特徴とする付記２に記載のサーバ装置。
（付記５）
前記検査開始の指示は、所定の操作ボタンに対して操作が行われた場合、所定のセンサが検査対象物を検知した場合、あるいは、所定の時間が経過した場合に受け付けることを特徴とする付記１に記載のサーバ装置。
（付記６）
前記検品結果には、表示装置の情報、該表示装置の画面の情報、該画面に表示された撮影画像の情報、該撮影画像に含まれる検査対象物が正常か異常かを示す情報が含まれることを特徴とする付記１に記載のサーバ装置。
（付記７）
前記検品結果に、前記撮影画像に含まれる検査対象物が異常であることを示す情報が含まれていた場合、前記受付部は、異常通知を行うことを特徴とする付記６に記載のサーバ装置。
（付記８）
複数の撮像装置それぞれにおいて撮影された撮影画像のうち、検査開始の指示が入力された撮影画像を取得し、検査開始の指示が入力された順序に従って配列し、
各画面における検査対象物についての検品結果を受け付け、
前記検品結果より画面の情報を取得し、受け付け順序に従って配列し、
配列された順序に従って、前記検査開始の指示が入力された撮影画像を、前記受け付け順序に従って配列された画面の情報に、順次、割り当て、
前記検査開始の指示が入力された撮影画像を、割り当て結果に応じた画面に表示する、
処理をコンピュータに実行させるための表示制御プログラム。
【０１２９】
なお、上記実施形態に挙げた構成等に、その他の要素との組み合わせ等、ここで示した構成に本発明が限定されるものではない。これらの点に関しては、本発明の趣旨を逸脱しない範囲で変更することが可能であり、その応用形態に応じて適切に定めることができる。
【符号の説明】
【０１３０】
１００                  ：検品システム
１１０＿１〜１１０＿３  ：表示装置
１３０                  ：サーバ装置
１５０＿１〜１５０＿７  ：制御装置
１６０＿１〜１６０＿７  ：警報装置
１７０＿１〜１７０＿７  ：操作スイッチ
１８０＿１〜１８０＿７  ：撮像装置
５１０                  ：指示受付部
５２０                  ：第１配列部
５３０                  ：検品結果受付部
５４０                  ：第２配列部
５５０                  ：割り当て部
５６０                  ：表示制御部
６１１、６１２          ：動画像
６２１、６２２          ：静止画像
【図１】
2020052817.tif 000003
【図２】
2020052817.tif 000004
【図３】
2020052817.tif 000005
【図４】
2020052817.tif 000006
【図５】
2020052817.tif 000007
【図６】
2020052817.tif 000008
【図７】
2020052817.tif 000009
【図８】
2020052817.tif 000010
【図９】
2020052817.tif 000011
【図１０】
2020052817.tif 000012
【図１１】
2020052817.tif 000013
【図１２】
2020052817.tif 000014
【図１３】
2020052817.tif 000015